(57)【要約】      （修正有）【課題】歯垢を洗い落とし、食べかすを除去でき、特に、歯間の掃除がより効果的になる歯のクリーニング専用の器具を提供する。【解決手段】歯垢を洗い落として汚れを除去する効果を有する。棒体１０と、第一ブラシ３０と、第一先端体２０とを備える。第一先端体２０は第一端１１に一体成形で設置され、第一ブラシ３０は第一先端体２０の先端に設置される。第一ブラシ３０端は折曲されて歯間に進入して歯垢を洗い落とし、第一先端体２０により歯間の汚れを除去して歯肉をマッサージし、歯の衛生及び健康を保つ機能を達成させる。【選択図】図１
0003201967.tif 000002
【実用新案登録請求の範囲】
【請求項１】
第一端からなる棒体と、
前記第一端に一体成形で設置される第一先端体と、
前記第一先端体の先端に設置され、歯間で回転するか往復伸縮する第一ブラシとを備えることを特徴とする歯のクリーニング専用の器具。
【請求項２】
前記棒体には線形溝が設けられ、前記第一先端体の表面は粗造表面であることを特徴とする、請求項１に記載の歯のクリーニング専用の器具。
【請求項３】
前記棒体は前記第一端に対する第二端を備え、前記歯のクリーニング専用の器具は第二先端体及び第二ブラシを含み、前記第二先端体は前記第二端に一体成形で設置され、且つ前記第二ブラシは前記第二先端体の先端に設置されることを特徴とする、請求項１に記載の歯のクリーニング専用の器具。
【請求項４】
前記第一先端体の先端及び前記第二先端体の先端は共に微湾曲形状を呈することを特徴とする、請求項３に記載の歯のクリーニング専用の器具。
【請求項５】
前記第一先端体及び前記第二先端体は扁平な三角形であり、前記第一ブラシは三角形、矩形或いは曲線形を呈することを特徴とする、請求項３に記載の歯のクリーニング専用の器具。
【請求項６】
前記棒体は前記第一端に対する第二端を備え、前記歯のクリーニング専用の器具は前記第二端に設置されるフロス部を含むことを特徴とする、請求項１に記載の歯のクリーニング専用の器具。
【請求項７】
前記第一先端体の先端は微湾曲形状を呈することを特徴とする、請求項６に記載の歯のクリーニング専用の器具。
【請求項８】
前記フロス部は曲げ部及び舌クリーナーを備え、前記舌クリーナーは前記曲げ部に設置されることを特徴とする、請求項６に記載の歯のクリーニング専用の器具。
【請求項９】
前記舌クリーナーは複数の鋸歯構造或いは複数の凸点であることを特徴とする、請求項８に記載の歯のクリーニング専用の器具。
【請求項１０】
前記粗造表面は交差する複数の凸線であることを特徴とする、請求項２に記載の歯のクリーニング専用の器具。
【考案の詳細な説明】
【技術分野】
【０００１】
本考案は、折曲されて歯間に進入して歯垢及び食べかすを洗い落とす歯のクリーニング専用の器具に関する。
【背景技術】
【０００２】
時代の進歩に伴い、近年政府は口腔衛生習慣の推進に力を入れており、その観念が人々に広がっている。その最たるものは、食後に楊枝で食べかすを掃除する習慣である。
【考案の概要】
【考案が解決しようとする課題】
【０００３】
しかしながら、最も使用頻度が高い道具は爪楊枝である。最も初期の従来の爪楊枝の多くは細長い棒で構成され、構造上特別な設計はなく、また、食べかすを取り除く機能を有するのみであり、歯間内にある歯垢を洗い落としたり、歯肉をマッサージする等の効果はなかった。
【０００４】
上述の従来の爪楊枝以外に、現在では他の種類の楊枝もある。糸楊枝は、歯間に挿入して上下に擺動させることで歯間の掃除を行うが、欠点は力加減を間違えたり、力を入れ過ぎたりすると糸楊枝が断線してしまい、糸楊枝が歯間に残留してしまう点である。また、大臼歯の歯間の掃除では、糸楊枝の構造では折曲させて大臼歯の歯間に進入させることが難しい。そこで、本考案者は上記の欠点が改善可能と考え、鋭意検討を重ねた結果、合理的かつ効果的に課題を改善する本考案の提案に到った。
【０００５】
本考案は、以上の従来技術の課題を解決する為になされたものである。即ち、本考案の目的は、歯垢を洗い落とし、食べかすを除去できる歯のクリーニング専用の器具であり、特に、歯間の掃除がより効果的になる歯のクリーニング専用の器具を提供する。
【０００６】
本考案の他の目的は、従来の楊枝の効果を強化させ、現在の楊枝よりも実用性が高く、顧客の興味を引く。楊枝の構造上、効果上、及び造形上全てにおいて改良が加えられ、革新的である。本考案は歯の掃除や、歯垢や食べかすの除去により高い効果を発揮する。
【課題を解決するための手段】
【０００７】
上述した課題を解決し、目的を達成するために、本考案に係る歯のクリーニング専用の器具は、第一端からなる棒体と、前記第一端に一体成形で設置される第一先端体と、前記第一先端体の先端に設置され、歯間で回転するか往復伸縮する第一ブラシとを備えることを特徴とする。
【図面の簡単な説明】
【０００８】
【図１】本考案の第１実施形態による歯のクリーニング専用の器具を示す外観斜視図である。
【図２】本考案の第２実施形態による歯のクリーニング専用の器具を示す外観斜視図である。
【図３】本考案の第２実施形態による歯のクリーニング専用の器具を示す側視図である。
【図４】本考案の第３実施形態による歯のクリーニング専用の器具を示す外観斜視図である。
【図５】本考案の第４実施形態による歯のクリーニング専用の器具を示す外観斜視図である。
【図６】本考案の第５実施形態による歯のクリーニング専用の器具を示す外観斜視図である。
【図７】本考案の第６実施形態による歯のクリーニング専用の器具を示す外観斜視図である。
【図８】本考案の第７実施形態による歯のクリーニング専用の器具を示す外観斜視図である。
【図９】本考案の第７実施形態による歯のクリーニング専用の器具を示す側視図である。
【図１０】本考案の第８実施形態による歯のクリーニング専用の器具を示す外観斜視図である。
【図１１】本考案の第８実施形態による歯のクリーニング専用の器具を示す側視図である。
【図１２】本考案の第８実施形態による歯のクリーニング専用の器具を示す側視図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
（第１実施形態）
【００１０】
図１に示すように、本考案の歯のクリーニング専用の器具１は、棒体１０と、第一先端体２０と、第一ブラシ３０と、第二先端体４０と、第二ブラシ５０とを備える。本考案における棒体１０には使用者の把持に用いられる線形溝が設けられ、棒体１０は、第一端１１及び第一端１１に対する第二端１２を含む。第一先端体２０は第一端１１に一体成形で設置され、第二先端体４０は第二端１２に一体成形で設置される。第一ブラシ３０は第一先端体２０の先端２１に設置されて歯間で回転するか往復伸縮し、第二ブラシ５０は第二先端体４０の先端４１に設置される。
【００１１】
本実施形態では、第一先端体２０の先端２１及び第二先端体４０の先端４１は共に微湾曲形状を呈し、且つ第一先端体２０及び第二先端体４０は扁平な三角形であるが（図１参照）、ただし、本考案はこれに限定されず、第一先端体２０及び第二先端体４０は他の幾何形柱状でもよい。第一ブラシ３０及び第二ブラシ５０は三角形、矩形或いは曲線形でもよい。第一先端体２０及び第二先端体４０の表面は交差する複数の凸線で形成される粗造表面である。
（第２実施形態）
【００１２】
本考案の歯のクリーニング専用の器具１の第２実施形態について、図２及び図３を参照して説明する。第２実施形態の第１実施形態との最大の差異は、本実施形態に係る歯のクリーニング専用の器具１ａは第二ブラシ５０を具備しない点である。図２及び図３に示すように、歯のクリーニング専用の器具１ａは、棒体１０ａと、第一先端体２０ａと、第一ブラシ３０ａと、第二先端体４０ａとを備える。第二先端体４０ａの先端４１ａは心棒であり、折曲されて歯間に進入して歯垢を洗い落とし、回転方式或いは回伸縮方式により歯垢や食べかすを除去する。
（第３実施形態）
【００１３】
本考案の歯のクリーニング専用の器具１の第３実施形態について、図４を参照して説明する。歯のクリーニング専用の器具１ｂは、棒体１０ａと、第一先端体２０ａと、第一ブラシ３０ａと、第二先端体４０ａと、第二ブラシ５０ａとを備える。第二ブラシ５０ａは矩形を呈する。ちなみに、歯のクリーニング専用の器具１、１ａ、１ｂは共に一体成形される楊枝である。
（第４実施形態）
【００１４】
本考案の歯のクリーニング専用の器具１の第４実施形態について、図５を参照して説明する。本考案に係る歯のクリーニング専用の器具１ｃは糸楊枝棒であり、歯のクリーニング専用の器具１ｃは、棒体１０ｂと、第一先端体２０と、第一ブラシ３０と、フロス部６０とを備える。第一先端体２０は前記第一端１１に一体成形で設置され、第一ブラシ３０は第一先端体２０の先端２１に設置され、フロス部６０は第二端１２に一体成形で設置される。
（第５実施形態）
【００１５】
本考案の歯のクリーニング専用の器具１の第６実施形態について、図６を参照して説明する。第５実施形態の第４実施形態との最大の差異は、本実施形態に係る歯のクリーニング専用の器具１ｄのフロス部６０には舌クリーナー６２が設置される点である。図６に示すように、歯のクリーニング専用の器具１ｄは、棒体１０ｂと、第一先端体２０と、第一ブラシ３０と、フロス部６０とを備える。フロス部６０は、曲げ部６１及び舌クリーナー６２を含み、舌クリーナー６１は曲げ部６２に設置される。本実施形態に係る舌クリーナー６２は複数の鋸歯構造である。図７は本考案の歯のクリーニング専用の器具１の第６実施形態である。図７に示すように、第６実施形態の第５実施形態との最大の差異は、本実施形態の舌クリーナー６２ａは複数の凸点である点である。
（第７実施形態）
【００１６】
本考案の歯のクリーニング専用の器具１の第７実施形態について、図８及び図９を参照して説明する。本考案に係る歯のクリーニング専用の器具１ｆは、棒体１０ｃと、第一先端体２０と、第一ブラシ３０ａと、フロス部６０とを備える。棒体１０ｃは第一端１１及び第二端１２を含み、第一端１１及び第二端１２は棒体１０ｃの対応する二端であり、第一ブラシ３０ａ及び第一先端体２０は第一端１１に一体成形で設置され、フロス部６０は第二端１２に一体成形で設置される。本実施形態では、第一ブラシ３０ａは三角形であり、第一先端体２０の表面は交差する複数の凸線で形成される粗造表面である。
（第８実施形態）
【００１７】
本考案の歯のクリーニング専用の器具１の第８実施形態について、図１０を参照して説明する。第８実施形態の第７実施形態との最大の差異は、歯のクリーニング専用の器具１ｇの第一ブラシ３０ｂが矩形である点である。
（第９実施形態）
【００１８】
本考案の歯のクリーニング専用の器具１の第９実施形態について、図１１及び図１２を参照して説明する。第９実施形態の前述の糸楊枝棒(歯のクリーニング専用の器具１ｃ、１ｄ、１ｅ、１ｆ、１ｇ)の実施形態との最大の差異は、歯のクリーニング専用の器具１ｈの把持部１０ｃの第二端１２ａの端点及びフロス部６０ａが微湾曲形状を呈し、歯のクリーニング専用の器具１ｈの第二端１２ａの箇所が弧形を呈し、且つ第一ブラシ３０ｃが曲線形である点である（図１１及び図１２参照）。
【００１９】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００２０】
１、１ａ、１ｂ、１ｃ、１ｄ、１ｅ、１ｆ、１ｇ、１ｈ歯のクリーニング専用の器具
１０、１０ａ、１０ｂ、１０ｃ棒体
１１第一端
１２第二端
２０、２０ａ第一先端体
２１、２１ａ、４１、４１ａ先端
３０、３０ａ、３０ｂ、３０ｃ第一ブラシ
４０、４０ａ第二先端体
５０、５０ａ第二ブラシ
６０、６０ａフロス部
６１曲げ部
６２、６２ａ舌クリーナー
【図１】
0003201967.tif 000003
【図２】
0003201967.tif 000004
【図３】
0003201967.tif 000005
【図４】
0003201967.tif 000006
【図５】
0003201967.tif 000007
【図６】
0003201967.tif 000008
【図７】
0003201967.tif 000009
【図８】
0003201967.tif 000010
【図９】
0003201967.tif 000011
【図１０】
0003201967.tif 000012
【図１１】
0003201967.tif 000013
【図１２】
0003201967.tif 000014